(57)【要約】【課題】  エンジンｂの、圧縮工程の時、シリンダーの中にある本当の混合気の量を、エンジンの爆発回転数が、低回転時から高回転時に向かって、多くする方法を得る（エンジンｂは、明細書の符号の説明を参照の事。）。【解決手段】  エンジンｂの、弁ｅに対して、弁ｆの大きさを小さくする。又、圧縮工程の時、弁ｆの閉じるタイミングを、低回転時から高回転時に向かって、早くする。又、弁から何も無い空間（混合気が一時停滞する所。）への通路（管）に開閉装置を取り付け、エンジンの爆発回転数が、低回転時から高回転時に向かって、閉じる量を多くする（弁ｅと弁ｆは、明細書の符号の説明を参照の事。）。【選択図】  図１
2006329177.tif 000002
【特許請求の範囲】
【請求項１】
吸気工程の時、上死点で開き下死点で閉じる弁に対して、圧縮工程の時、下死点で開き上死点の手前の間で閉じる弁の大きさを小さくした、４サイクルガソリンエンジン、又は、６サイクルガソリンエンジン。
【請求項２】
圧縮工程の時、下死点で開き上死点の手前の間で閉じる弁の、閉じるタイミングを、エンジンの爆発回転数が、低回転時から高回転時に向かって早くする、４サイクルガソリンエンジン、又は、６サイクルガソリンエンジン。
【請求項３】
圧縮工程の時、下死点で開き上死点の手前の間で閉じる弁の、何も無い空間への通路に開閉装置を取り付け、エンジンの爆発回転数が、低回転時から高回転時に向かって、閉じる量を多くする、４サイクルガソリンエンジン、又は、６サイクルガソリンエンジン。
【発明の詳細な説明】
【技術分野】
【０００１】  本発明は、〔４サイクルガソリンエンジン、６サイクルガソリンエンジンに、ピストンバルブ、ロータリーバルブを使用した時の、吸気工程で開き、圧縮工程に入ってから閉じる、弁、気口の対策（平成７年特許願第３４９９２１号）。〕の、請求項１記載の中の、吸気工程の時、上死点で開き下死点で閉じる弁に対しての、圧縮工程の時、下死点で開き上死点の手前の間で閉じる弁の大きさと、エンジンの爆発回転数が、低回転時、高回転時の、圧縮工程の時、下死点で開き上死点の手前の間で閉じる弁の、閉じるタイミングと、圧縮工程の時、下死点で開き上死点の手前の間で閉じる弁の、何も無い空間への通路（管）の開閉の量に関する｛以後、〔４サイクルガソリンエンジン、６サイクルガソリンエンジンに、ピストンバルブ、ロータリーバルブを使用した時の、吸気工程で開き、圧縮工程に入ってから閉じる、弁、気口の対策（平成７年特許願第３４９９２１号）。〕を、対策ａ、とし、４サイクルガソリンエンジン、６サイクルガソリンエンジンに、ピストンバルブ、ロータリーバルブを使用した時の、吸気工程で開き、圧縮工程に入ってから閉じる、弁、気口のあるエンジンに、対策ａを施したエンジンを、エンジンｂ、とし、エンジンｂの、混合気専用の吸気弁を、弁ｃ、とし、排気弁を、弁ｄ、とし、吸気工程の時、上死点で開き下死点で閉じる弁を、弁ｅ、とし、圧縮工程の時、下死点で開き上死点の手前の間で閉じる弁を、弁ｆ、とし、空気専用の吸気弁〔圧縮工程の時、弁ｆを開け過ぎた時の対策として、膨張工程の時、膨張し過ぎて、シリンダーの中（筒内。）の気圧が１以下になり、ピストンがクランク・シャフトを回転させる事の抵抗になる時に開き、下死点で閉じる、空気専用の吸気弁。〕は、弁ｇ、とする〔弁ｇは、４サイクルガソリンエンジンの場合は、ただの弁ｇ、であるが、６サイクルガソリンエンジンの場合は、弁ｇと、２回目の吸気工程の時の弁（空気の吸気工程の時の弁。）を兼ねる場合もある。又、圧縮工程の時、弁ｆを開け過ぎなければ、弁ｇを設ける必要はない。〕。｝。
【背景技術】
【０００２】  従来のエンジンｂにおいて、低回転時から高回転時に向って、圧縮工程の時、シリンダーの中にある、本当の混合気の量を変えるものにおいては、明確なものがなかった（明確ではないが、特許文献１参照。）。【０００３】
【特許文献１】  特願２００１−２６４９７７（吸気工程の時、上死点で開き下死点で閉じる弁に対しての、圧縮工程の時、下死点で開き上死点の手前の間で閉じる弁の大きさと、エンジンの爆発回転数が、低回転時、高回転時の開閉。）
【発明の開示】
【発明が解決しようとする課題】
【０００４】  本発明は、エンジンｂの、圧縮工程の時、シリンダーの中にある本当の混合気の量を、エンジンの爆発回転数が、低回転時から高回転時に向かって、多くすることを目的とするものである。
【課題を解決するための手段】
【０００５】  本発明は上記目的を達成する為に、エンジンｂの、弁ｅに対して、弁ｆの大きさを、小さくする。【０００６】  また、弁ｆの閉じるタイミングを、エンジンの爆発回転数が、低回転時から高回転時に向かって、早くする。【０００７】  そして、弁ｆの何も無い空間への通路に開閉装置を取り付け、エンジンの爆発回転数が、低回転時から高回転時に向かって、閉じる量を多くする。
【発明の効果】
【０００８】  上述したように本発明の、対策ａを施したエンジンｂでは、弁ｅに対して弁ｆの大きさを小さくする事に因り、吸気工程の時、弁ｅから混合気がシリンダーの中に吸気される抵抗よりも、圧縮工程の時、弁ｆに混合気がシリンダーの中から排気される抵抗の方が大きいのと、低回転時よりも高回転時の方が、弁ｆに混合気がシリンダーの中から排気される時の抵抗が大きくなり、因って、圧縮工程の時、低回転時から高回転時に向かって、シリンダーの中にある、本当の混合気の量が多くなり、低回転時には、燃焼効率重視、高回転時に向かって、パワー重視の、エンジンｂができる。【０００９】  また、弁ｆの閉じるタイミングを、エンジンの爆発回転数が、低回転時から高回転時に向かって早くする事に因り、圧縮工程の時、低回転時から高回転時に向かって、シリンダーの中にある、本当の混合気の量が多くなり、低回転時には、燃焼効率重視、高回転時に向かって、パワー重視の、エンジンｂができる。【００１０】  そして、弁ｆの、何も無い空間への通路に開閉装置を取り付け、エンジンの爆発回転数が、低回転時から高回転時に向かって、閉じる量を多くする事に因り、圧縮工程の時、低回転時から高回転時に向かって、シリンダーの中にある、本当の混合気の量が多くなり、低回転時には、燃焼効率重視、高回転時に向かって、パワー重視の、エンジンｂができる。
【発明を実施するための最良の形態】
【００１１】  以下、本発明の実施の形態を、図１〜図１２に基づいて説明する。【００１２】  図１においては、エンジンｂの代表として、４サイクルガソリンエンジンの横断面図であり、弁ｅに対して、弁ｆの大きさを、小さくした事と、弁ｃと弁ｄと弁ｅと弁ｆとプラグの所在を示す図である（以後、エンジンｂの代表の４サイクルガソリンエンジンは、エンジンｈ、とする。）。【００１３】  図２、図３、図４に示される実施例では、図１を、断面Ａ−Ａの方向から見たと仮定した、圧縮工程の時の、エンジンｈの縦断面図であり、図２、図３、図４は、
図２  圧縮工程（低回転時）
弁ｃと弁ｄと弁ｅは閉じ、弁ｆは開いている（弁ｆから混合気が排気される時の抵抗が小さく、因って、混合気は、中回転時、さらに、高回転時よりも、多く排出される。又、弁ｆは、下死点から上死点までの行程の、ピストンが約４分の３程、上昇した時点で閉じると仮定した図であり、閉じる直前の図でもある。）。
図３  圧縮工程（中回転時）
弁ｃと弁ｄと弁ｅは閉じ、弁ｆは開いている（弁ｆから混合気が排気される時の抵抗が、低回転時よりも大きく、高回転時よりも小さいので、因って、混合気は、低回転時よりも少なく、高回転時よりも多く、排出される。又、弁ｆは、下死点から上死点までの工程の、ピストンが４分の３程、上昇した時点で閉じると仮定した図であり、閉じる直前の図でもある。）。
図４  圧縮工程（高回転時）
弁ｃと弁ｄと弁ｅは閉じ、弁ｆは開いている（弁ｆから混合気が排気される時の抵抗が大きく、因って、混合気は、低回転時、さらに、中回転時よりも、少なく排出される。又、弁ｆは、下死点から上死点までの行程の、ピストンが約４分の３程、上昇した時点で閉じると仮定した図であり、閉じる直前の図でもある。）。
である。【００１４】  図５に示される実施例では、エンジンｈの横断面図であり、弁ｃと弁ｄと弁ｅと弁ｆとプラグの所在を示す図である（あえて、４種類の弁の大きさは、請求項２の効果を示す為に、同じにしてある。）。【００１５】  図６、図７、図８に示される実施例では、図５を、断面Ｂ−Ｂの方向から見たと仮定した、圧縮工程の時の、エンジンｈの縦断面図であり、図６、図７、図８は、
図６  圧縮工程（低回転時）
弁ｃと弁ｄと弁ｅは閉じ、弁ｆは開いている（弁ｆは、下死点から上死点までの工程の、ピストンが約４分の３程、上昇した時点で閉じると仮定した図であり、閉じる直前の図でもある。又、現実的には、圧縮工程の時、混合気は圧縮されながら弁ｆから排気されるのと、低回転時から高回転時に向かって、圧縮されるスピードが早くなり、それに因って、シリンダーの中に残る本当の混合気の量が多くなるが、理論的には、シリンダーの中にある混合気の量は、排気量の４分の１残ることになり、中回転時、さらに、高回転時よりも多く排出される事になる。）。
図７  圧縮工程（中回転時）
弁ｃと弁ｄと弁ｅは閉じ、弁ｆは開いている（弁ｆは、下死点から上死点までの行程の、ピストンが約３分の２程、上昇した時点で閉じると仮定した図であり、閉じる直前の図でもある。又、現実的には、圧縮工程の時、混合気は圧縮されながら弁ｆから排気されるのと、低回転時から高回転時に向かって、圧縮されるスピードが早くなり、それに因って、シリンダーの中に残る本当の混合気の量が多くなるが、理論的には、シリンダーの中にある混合気の量は、排気量の３分の１残ることになり、低回転時よりも少なく、高回転時よりも多く排出される事になる。）。
図８  圧縮工程（高回転時）
弁ｃと弁ｄと弁ｅは閉じ、弁ｆは開いている（弁ｆは、下死点から上死点までの行程の、ピストンが約２分の１程、上昇した時点で閉じると仮定した図であり、閉じる直前の図でもある。又、現実的には、圧縮工程の時、混合気が圧縮されながら弁ｆから排気されるのと、低回転時から高回転時に向かって、圧縮されるスピードが早くなり、それに因って、シリンダーの中に残る本当の混合気の量が多くなるが、理論的には、シリンダーの中にある混合気の量は、排気量の２分の１残ることになり、低回転時、さらに、中回転時よりも少なく排出される事になる。）。
である。【００１６】  図９に示される実施例では、エンジンｈの横断面図であり、弁ｃと弁ｄと弁ｅと弁ｆとプラグと、弁ｆから何も無い空間への通路に、開閉装置を取り付けた事と、配置を示す図である。【００１７】  図１０、図１１、図１２に示される実施例では、図９を、断面Ｃ−Ｃの方向から見たと仮定した、弁ｆから何も無い空間への通路の、開閉装置の開閉の量を示すものであり、図１０、図１１、図１２は、
図１０  低回転時
弁ｆから何も無い空間への通路は、開閉装置に因って、全然、閉じられていない（弁ｆから混合気が排気される時の抵抗が小さく、因って、混合気は、中回転時、さらに、高回転時よりも、多く排出される。）。
図１１  中回転時
弁ｆから何も無い空間への通路は、開閉装置に因って、約３分の１程、閉じられている（弁ｆから混合気が排出される時の抵抗が、低回転時よりも大きく、高回転時よりも小さいので、因って、混合気は、低回転時よりも少なく、高回転時よりも多く、排出される。）。
図１２  高回転時
弁ｆから何も無い空間への通路は、開閉装置に因って、約３分の２程、閉じられている（弁ｆから混合気が排気される時の抵抗が大きく、因って、低回転時、さらに、中回転時よりも、少なく排出される。）。
である。【００１８】  また、図１０、図１１、図１２に示される実施例の、開閉装置の開閉の量を示す場合においては、弁ｆの大きさは同一であり、弁ｆの閉じるタイミングも同一である。【００１９】  そして、上記実施例には、弁ｇは含まれていないが、本発明をややこしくするので、ここでは省くのと、本発明の主旨とあまり関係が無いので、ここでは省く。【００２０】  また、上記実施例には、６サイクルガソリンエンジンの実施例も示されていないが、２回目の吸気工程の時の弁（空気の吸気工程の時の弁。）を、エンジンｈに付け加えれば、６サイクルガソリンエンジンの実施例が描けるが、圧縮工程の時の、弁ｅに対しての、弁ｆの大きさと、弁ｆの閉じるタイミングと、弁ｆから何も無い空間への開閉の量の作用は、エンジンｈと同一なので、ここでは省く。【００２１】  さらに、弁ｅに対して弁ｆの大きさを小さくする、以外の作用を、エンジンの爆発回転数が、低回転時から高回転時に向かって作用させるのではなく、エンジンの爆発回転に対しての抵抗が、低負荷時から高負荷時に向かって作用させれば、低負荷時には、燃焼効率重視、高負荷時に向かって、パワー重視の図が描ける。
【図面の簡単な説明】
【００２２】
【図１】  図２、図３、図４の、圧縮工程の時の縦断面図を示す時の、弁ｃと弁ｄと弁ｅと弁ｆとプラグの配置と大きさの実施例を示す、エンジンｈの、横断面図である（弁ｃと弁ｄと弁ｅと弁ｆとエンジンｈは、符号の説明を参照の事。）。
【図２】  図１を、断面Ａ−Ａの方向から見たと仮定した実施例を示す、圧縮工程の時の、縦断面図である（低回転時）。
【図３】  図１を、断面Ａ−Ａの方向から見たと仮定した実施例を示す、圧縮工程の時の、縦断面図である（中回転時）。
【図４】  図１を、断面Ａ−Ａの方向から見たと仮定した実施例を示す、圧縮工程の時の、縦断面図である（高回転時）。
【図５】  図６、図７、図８の、圧縮工程の時の縦断面図を示す時の、弁ｃと弁ｄと弁ｅと弁ｆとプラグの配置と大きさの実施例を示す、エンジンｈの、横断面図である（弁ｃと弁ｄと弁ｅと弁ｆとエンジンｈは、符号の説明を参照の事。）。
【図６】  図５を、断面Ｂ−Ｂの方向から見たと仮定した実施例を示す、圧縮工程の時の、縦断面図である〔低回転時（図６に示される弁ｆは、下死点から上死点までの行程の、ピストンが約４分の３程、上昇した時点で閉じると仮定した図であり、閉じる直前の図でもある。）〕。
【図７】  図５を、断面Ｂ−Ｂの方向から見たと仮定した実施例を示す、圧縮工程の時の、縦断面図である〔中回転時（図７に示される弁ｆは、下死点から上死点までの行程の、ピストンが約３分の２程、上昇した時点で閉じると仮定した図であり、閉じる直前の図でもある。）〕。
【図８】  図５を、断面Ｂ−Ｂの方向から見たと仮定した実施例を示す、圧縮工程の時の、縦断面図である〔高回転時（図８に示される弁ｆは、下死点から上死点までの行程の、ピストンが約２分の１程、上昇した時点で閉じると仮定した図であり、閉じる直前の図でもある。）〕。
【図９】  図１０、図１１、図１２の、弁ｆから何も無い空間への通路に開閉装置を取り付け、その開閉の量を見る時の、弁ｃと弁ｄと弁ｅと弁ｆとプラグと開閉装置の配置と大きさの実施例を示す、エンジンｈの、横断面図である（弁ｃと弁ｄと弁ｅと弁ｆとエンジンｈは、符号の説明を参照の事。）。
【図１０】  図９を  断面Ｃ−Ｃの方向から見たと仮定した実施例を示す、弁ｆから何も無い空間への通路の、開閉装置に因る開閉の量の、断面図である〔低回転時（弁ｆから何も無い空間への通路は、開閉装置に因っては、全然、閉じられていない。）〕。
【図１１】  図９を、断面Ｃ−Ｃの方向から見たと仮定した実施例を示す、弁ｆから何も無い空間への通路の、開閉装置に因る開閉の量の、断面図である〔中回転時（弁ｆから何も無い空間への通路は、開閉装置に因って、約３分の１程、閉じられている。）〕。
【図１２】  図９を、断面Ｃ−Ｃの方向から見たと仮定した実施例を示す、弁ｆから何も無い空間への通路の、開閉装置に因る開閉の量の、断面図である〔高回転時（弁ｆから何も無い空間への通路は、開閉装置に因って、約３分の２程、閉じられている。）〕。
【符号の説明】
【００２３】        １  エンジンｂの、混合気専用の吸気弁（弁ｃ）。
２  エンジンｂの、排気弁（弁ｄ）。
３  エンジンｂの、吸気工程の時、上死点で開き下死点で閉じる弁（弁ｅ）。
４  エンジンｂの、圧縮工程の時、下死点で開き上死点の手前の間で閉じる弁（弁ｆ）。
５  プラグ
６  気化器
７  吸気管
８  排気管
９  何も無い空間（混合気が一時停滞する所。）
１０  何も無い空間から、弁ｅへの通路
１１  弁ｆから、何も無い空間への通路
１２  ピストン
１３  上死点
１４  下死点
１５  行程
１６  開閉装置
対策ａ  ４サイクルガソリンエンジン、６サイクルガソリンエンジンに、ピストンバルブ、ロータリーバルブを使用した時の、吸気工程で開き、圧縮工程に入ってから閉じる、弁、気口の対策（平成７年特許願第３４９９２１号）。
エンジンｂ  ４サイクルガソリンエンジン、６サイクルガソリンエンジンに、ピストンバルブ、ロータリーバルブを使用した時の、吸気工程で開き、圧縮工程に入ってから閉じる、弁、気口のあるエンジンに、対策ａを施したエンジン。
弁ｃ  エンジンｂの、混合気専用の吸気弁。
弁ｄ  エンジンｂの、排気弁。
弁ｅ  エンジンｂの、吸気工程の時、上死点で開き下死点で閉じる弁。
弁ｆ  エンジンｂの、圧縮工程の時、下死点で開き上死点の手前の間で閉じる弁。
弁ｇ  空気専用の吸気弁〔圧縮工程の時、弁ｆを開け過ぎた時の対策として、膨張工程の時、膨張し過ぎて、シリンダーの中（筒内。）の気圧が１以下になり、ピストンがクランク・シャフトを回転させる事の抵抗になる時に開き、下死点で閉じる、空気専用の吸気弁。〕。
エンジンｈ  エンジンｂの代表の４サイクルガソリンエンジン。
Ａ−Ａ  断面
Ｂ−Ｂ  断面
Ｃ−Ｃ  断面
【図１】
2006329177.tif 000003
【図２】
2006329177.tif 000004
【図３】
2006329177.tif 000005
【図４】
2006329177.tif 000006
【図５】
2006329177.tif 000007
【図６】
2006329177.tif 000008
【図７】
2006329177.tif 000009
【図８】
2006329177.tif 000010
【図９】
2006329177.tif 000011
【図１０】
2006329177.tif 000012
【図１１】
2006329177.tif 000013
【図１２】
2006329177.tif 000014